(57)【要約】【課題】営巣地特定の精度が高く、営巣地探査の効率化、省力化、及び低コスト化を達成可能な、猛禽類の営巣地探査方法及び営巣地探査システムを提供すること。【解決手段】本発明の猛禽類の営巣地探査方法は、（１）移動装置２０を保持させた囮動物１０の生体を猛禽類Ａに捕獲させるステップと、（２）猛禽類Ａの帰巣行動により猛禽類Ａに囮動物１０を営巣地Ｂへ搬送させるステップと、を備え、囮動物１０とともに搬送させた移動装置２０が発信する位置情報に基づいて営巣地Ｂを特定することを特徴とする。本発明の猛禽類の営巣地探査システム１は、囮動物１０の生体と、位置情報発信手段２３を有する移動装置２０と、位置情報受信手段４１を有する探査装置４０と、を備え、移動装置２０を囮動物１０に保持させたことを特徴とする。【選択図】図１
2020078283.tif 000002
【特許請求の範囲】
【請求項１】
猛禽類の営巣地探査方法であって、
（１）移動装置を保持させた囮動物の生体を前記猛禽類に捕獲させるステップと、
（２）前記猛禽類の帰巣行動により前記猛禽類に前記囮動物を営巣地へ搬送させるステップと、を備え、
前記囮動物とともに搬送させた前記移動装置が発信する位置情報に基づいて営巣地を特定することを特徴とする、
営巣地探査方法。
【請求項２】
前記移動装置が刺衝手段を有し、前記ステップ（１）より以前に、前記刺衝手段によって前記囮動物の陽動行動を誘発させるステップを備えることを特徴とする、請求項１に記載の営巣地探査方法。
【請求項３】
前記刺衝手段が、前記囮動物に対する電撃であることを特徴とする、請求項２に記載の営巣地探査方法。
【請求項４】
前記囮動物を解放可能に係留する係留手段を有することを特徴とする、請求項１乃至３のいずれか一項に記載の営巣地探査方法。
【請求項５】
前記係留手段が、一端を前記囮動物に接続し、他端を錘体に接続した索状体であることを特徴とする、請求項４に記載の営巣地探査方法。
【請求項６】
猛禽類の営巣地探査システムであって、
囮動物の生体と、位置情報発信手段を有する移動装置と、位置情報受信手段を有する探査装置と、を備え、
前記移動装置を前記囮動物に保持させたことを特徴とする、
営巣地探査システム。
【発明の詳細な説明】
【技術分野】
【０００１】
本発明は、営巣地特定の精度が高く、営巣地探査の効率化、省力化、及び低コスト化を達成可能な、猛禽類の営巣地探査方法及び営巣地探査システムに関する。
【背景技術】
【０００２】
オオタカ、クマタカ等絶滅の危機に瀕している猛禽類を希少猛禽類といい、いわゆる種の保存法、鳥獣保護法、文化財保護法等の多数の法令によって希少猛禽類の個体及び生息環境の保護が規定されている。
また、道路、ダム、風力発電等の大規模事業では、環境影響評価法や条例等に基づいて希少猛禽類の生息・繁殖状況を把握し、事業影響の予測評価を行った上で適切な保全対策を講ずることが求められている。
希少猛禽類への事業影響の予測評価（行動圏の内部構造解析）のためには、できる限り早期に希少猛禽類の営巣地を特定し、営巣地と事業実施区域との位置関係を明確にすることが重要である。
【０００３】
従来の営巣地探査方法は、主に定点観察調査と営巣木調査の二段階で行う。
定点観察調査は、複数の調査定点に調査員を配置し、無線機で連絡をとりながら双眼鏡、望遠鏡により希少猛禽類を観察する。例えば、オオタカを対象とした調査では、営巣期の２〜７月に各月１回、１回あたり３日間連続で調査し、調査時間は７：００〜１５：００の８時間が基本となる。各調査回の飛翔データを蓄積し、高頻度出現域や繁殖行動の確認場所等をもとに営巣地の絞り込みを行う。
また、営巣木調査は、定点観察調査の結果、希少猛禽類の繁殖可能性がある範囲を対象に林内踏査を行い、営巣木を探索して特定する。
この他、特許文献１には、鳥獣タグと、複数の基地局と、データセンタと、を備えた鳥獣追跡システムが開示されている。この技術によれば、追跡対象の鳥獣に鳥獣タグを装着し、無線通信によって鳥獣タグからＧＰＳデータを取得することによって、鳥獣の現在位置を特定して追跡する。
【先行技術文献】
【特許文献】
【０００４】
【特許文献１】特開２０１１−１８５６８６号公報
【発明の概要】
【発明が解決しようとする課題】
【０００５】
従来技術には次のような欠点があった。
＜１＞地上からの観察によって降着場所を特定する作業は難度が非常に高い。このため、探査の精度が低い。また限られた営巣期内に営巣地を特定できない場合、適切な保全対策を立案・実施できないおそれがある。
＜２＞調査地の地形・植生条件等によっては営巣地の特定に至るまでに多大な人員と長期間を要し、非効率であると同時に高コストである。
＜３＞探査の精度が調査員の経験や技量に依存する。近年では調査員の高齢化によって慢性的に調査員が不足しており、作業員の人件費が上昇することで、調査コストが更に高騰することが予想される。
＜４＞営巣木調査では、調査中にクマ、マムシ、スズメバチ、マダニ等の危険動物に遭遇するリスクがある。
＜５＞追跡タグを取り付けるためには猛禽類を捕捉する必要があり、希少な猛禽類に傷を負わせるおそれがある。
＜６＞追跡タグを取り付けるためには鳥獣保護法等の各種法令に基づく多くの許可申請書類の提出と煩雑な手続きが必要となる。
【０００６】
本発明の目的は、以上のような問題点を解決できる猛禽類の営巣地探査方法及び営巣地探査システムを提供することにある。
【課題を解決するための手段】
【０００７】
本発明の猛禽類の営巣地探査方法は、（１）移動装置を保持させた囮動物の生体を猛禽類に捕獲させるステップと、（２）猛禽類の帰巣行動により猛禽類に囮動物を営巣地へ搬送させるステップと、を備え、囮動物とともに搬送させた移動装置が発信する位置情報に基づいて営巣地を特定することを特徴とする。
この構成によれば、簡易な手段でもって早期かつ確実に営巣地を特定することができる。
【０００８】
本発明の猛禽類の営巣地探査方法は、移動装置が刺衝手段を有し、ステップ（１）より以前に、刺衝手段によって囮動物の陽動行動を誘発させるステップを備えていてもよい。
この構成によれば、囮動物が行動することにより猛禽類の目に留まりやくなるため、囮動物の捕捉率を高めることができる。
【０００９】
本発明の猛禽類の営巣地探査方法は、刺衝手段が、囮動物に対する電撃であってもよい。
この構成によれば、簡易かつ確実に囮動物に陽動行動を誘発させることができる。
【００１０】
本発明の猛禽類の営巣地探査方法は、囮動物を解放可能に係留する係留手段を有していてもよい。
この構成によれば、猛禽類が囮動物を捕獲した際に適切なタイミングでもって囮動物を解放し、営巣地に搬送させることができる。
【００１１】
本発明の猛禽類の営巣地探査方法は、係留手段が、一端を前記囮動物に接続し、他端を錘体に接続した索状体であってもよい。
この構成によれば、囮動物を係留しながら若干の移動を許容するため、囮動物の動きが自然で、猛禽類を警戒させるおそれが少ない。
【００１２】
本発明の猛禽類の営巣地探査システムは、囮動物の生体と、位置情報発信手段を有する移動装置と、位置情報受信手段を有する探査装置と、を備え、移動装置を囮動物に保持させたことを特徴とする。
この構成によれば、簡易な構成でもって早期かつ確実に営巣地を特定することができる。
【発明の効果】
【００１３】
本発明の猛禽類の営巣地探査方法及び営巣地探査システムは以上の構成を備えるため、次の効果のうち少なくとも一つを備える。
＜１＞ＧＰＳ発信機の位置情報に基づいて営巣地を特定するため、探査の精度が非常に高く、営巣地を短期間で特定できる。例えばオオタカの営巣地特定の場合、従来技術では２〜７月の間に計６回、３日間／回、３名／回（１名×３定点）、８時間／日の調査努力を要していたものが、本願発明によれば、最短で２〜３月（営巣期）に６回、１日／回、２名／回、４時間／日程度の調査努力により営巣地を特定することが可能となる。
＜２＞安価な設備と少ない人数で探査可能であるため、作業効率が高く作業コストが非常に安価である。
＜３＞探査精度が調査員の経験や技量等に依存せず、熟練を要さずに探査可能であるため、比較的安価な人件費で実施することができる。
＜４＞猛禽類自体ではなく、囮動物に発信機を取り付けることで発信機を間接的に猛禽類に保持させる技術である。このため、希少な猛禽類に傷を負わせるおそれがなく、また、保護法令上の許可申請手続きが不要なため容易に実施することができる。
【図面の簡単な説明】
【００１４】
【図１】本発明の猛禽類の営巣地探査システムの説明図。
【図２】本発明の猛禽類の営巣地探査システムの説明図。
【図３】本発明の猛禽類の営巣地探査方法の説明図（１）。
【図４】本発明の猛禽類の営巣地探査方法の説明図（２）。
【発明を実施するための形態】
【００１５】
以下、図面を参照しながら本発明の猛禽類の営巣地探査方法及び営巣地探査システムについて詳細に説明する。説明の便宜上、営巣地探査システム、営巣地探査方法の順番に記載する。
なお、本発明において営巣地の「探査」とは、必ずしも営巣木を直接特定する意味ではなく、少なくとも営巣木及び周辺の大径木からなる営巣林を特定することを意味する。営巣林まで特定できれば、短時間の林内踏査によって、容易に営巣木を発見することができる。
【実施例１】
【００１６】
[営巣地探査システム]
＜１＞全体の構成（図１）。
本発明の猛禽類の営巣地探査システム１は、囮動物１０に保持させた移動装置２０によって、猛禽類Ａの営巣地Ｂを探査するためのシステムである。
営巣地探査システム１は、少なくとも囮動物１０と、囮動物１０に保持させた移動装置２０と、探査装置４０と、を備える。
本例では、移動装置２０と探査装置４０との通信に民間の位置情報サービス事業者が提供する位置情報サービスを使用する。
【００１７】
＜１．１＞猛禽類。
本発明の探査対象は猛禽類Ａである。猛禽類Ａは希少猛禽類に限らない。
本例では、猛禽類Ａとしてオオタカを対象とする例について説明する。この他、イヌワシ、クマタカ、サシバ、チュウヒ等タカ目タカ科の鳥類、ミサゴ等タカ目ミサゴ科の鳥類、ハヤブサ等のハヤブサ目ハヤブサ科の鳥類、フクロウ等のフクロウ目フクロウ科の鳥類など、全ての猛禽類に適用可能である。
【００１８】
＜２＞囮動物。
囮動物１０は、移動装置２０を営巣地Ｂ又はその周辺へ搬送する媒介となる、探査対象の猛禽類Ａの被食動物（生体）である。
本例では、囮動物１０として鳥類を採用し、具体的にはレース鳩用として市販されているドバト（カワラバト）の生体を採用する。
飛翔中の鳥類は猛禽類Ａの目に留まりやすく、中でもドバトは飛翔速度が時速３０km〜５０km程度と比較的低速であるため、猛禽類Ａによる捕捉率が高い。
ただし囮動物１０は鳥類に限られず、探査対象の猛禽類Ａの食性に基づいて、ヘビ、トカゲなどの爬虫類、カエルなどの両生類、ネズミ、ウサギなどの小型哺乳類等も選択することもできる。
また鳥類もドバトに限られず、ニワトリ、チャボ、ウズラ等であってもよい。
要は探査対象の猛禽類Ａの被食動物であって、適宜の手段によって移動装置２０を保持させることができればよい。
【００１９】
＜３＞移動装置（図２）。
移動装置２０は、探査装置４０に位置情報を送信する装置である。
移動装置２０は、囮動物１０に保持させる。
移動装置２０は、少なくとも位置情報取得手段２１と、情報処理手段２２と、位置情報発信手段２３と、を備える。本例では移動装置２０としてＧＰＳ発信機を採用する。
本例では、移動装置２０を脚環型として、囮動物１０のドバトの脚に固定する。この他、移動装置２０は、首輪の取り付け、尾羽への接着等、囮動物１０の種類に応じた適宜の手段によって囮動物１０に保持させることができる。
移動装置２０は、位置情報取得手段２１等を駆動させる電源を有する。本例では、電源としてリチウムイオン充電池を採用する。
この他、移動装置２０は、小型の太陽光パネル等の発電手段を備えていてもよい。
【００２０】
＜３．１＞位置情報取得手段・情報処理手段・位置情報発信手段。
位置情報取得手段２１は、ＧＰＳ衛星を測位して、ＧＰＳ衛星から位置情報を取得する手段である。
位置情報発信手段２３は、移動装置２０の位置情報を探査装置４０へ発信する手段である。
情報処理手段２２は、位置情報取得手段２１と位置情報発信手段２３を制御する手段である。
位置情報発信手段２３が発信した位置情報は、基地局、インターネット回線、管理サーバ等を介して後述する探査装置４０に送信される。
位置情報はリアルタイムで発信する他、一時的に情報処理手段のメモリに蓄積して適宜のタイミングで発信してもよい。
位置情報取得手段２１、情報処理手段２２、及び位置情報発信手段２３の構成自体はＧＰＳ発信機として公知なのでここでは詳述しない。
【００２１】
＜３．２＞刺衝手段。
移動装置２０は、刺衝手段２４を備えていてもよい。
刺衝手段２４は、囮動物１０の陽動行動を誘発させる手段である。
ここで「陽動行動」とは、囮動物１０の存在を猛禽類Ａに気づかせる積極的行動を意味する。具体的には、鳥類であれば地上からの飛翔、爬虫類であれば連続した匍匐や跳躍、小型哺乳類であれば遁走等の、主に猛禽類Ａの視覚を通じて猛禽類Ａの気を引く積極的な行動である。
刺衝手段２４によって、任意のタイミングで囮動物１０に陽動行動をとらせて猛禽類Ａに捕捉させることができる。
本例では、刺衝手段２４として、囮動物１０への電気ショックを採用する。
具体的には、移動装置２０の脚環の内側に設けた電極と、電極に電撃を印加可能なリモコンの組み合わせからなる電撃装置を準備し、これを使用して囮動物１０へ電気ショックを与える。なお、電撃装置は、リモコン式の他、電気コードを介したコード式であってもよい。
また、刺衝手段２４は電気ショックに限られず、囮動物１０に刺激を与えて陽動行動を誘発可能であれば、他の公知の方法を用いてもよい。
【００２２】
＜４＞探査装置。
探査装置４０は、移動装置２０の位置情報を受信して表示する装置である。
探査装置４０は、少なくとも位置情報受信手段４１と、表示手段４２を備える。
本例では、探査装置４０として、スマートフォンを採用する。
移動装置２０の位置情報発信手段２３が発信した位置情報は、基地局、専用回線、インターネット回線等を介して位置情報サービス事業者の管理サーバに送信され、位置情報サービス事業者による情報処理を経て、位置情報受信手段４１で受信される。
例えば、探査装置４０は、位置情報に基づいて移動装置２０の位置をリアルタイムで表示手段４２のマップ上に表示することができる。
なお、探査装置４０は、スマートフォンに限られず、平板型タブレット端末、ノートパソコンその他の装置であってもよい。
【００２３】
＜５＞係留手段。
本発明の営巣地探査システム１は、係留手段３０を備えていてもよい。
係留手段３０は、囮動物１０を解放可能に係留する手段である。
係留手段３０によって、任意のタイミングで囮動物１０を解放して、猛禽類Ａに捕捉させることができる。
本例では係留手段３０として、細径の係留ロープを採用する。係留ロープの一端を、移動装置２０を介して囮動物１０に接続し、他端を錘体に接続する。これにより、囮動物１０が係留ロープの長さの範囲内では移動して飛び上がることが可能となる。このため、囮動物１０の動きが自然に近く、猛禽類Ａを警戒させる可能性を低減することができる。
係留手段３０は、任意のタイミングで移動装置２０から切り離し可能とする。切り離し手段は人の手によるものでも、遠隔操作によるものでもよい。
係留手段３０は係留ロープに限られず、ワイヤやチェーンなどを用いてもよい。また、錘体を用いずに他端を地盤や樹木に固定してもよい。また、係留ロープやワイヤなどの索状体を用いず、鳥籠や羽根を抑えるベルト等であってもよい。
要は任意のタイミングで囮動物１０を解放可能な構成であればよい。
【００２４】
[営巣地探査方法]
＜１＞全体の構成。
本発明の猛禽類の営巣地探査方法は、少なくとも（１）移動装置２０を保持させた囮動物１０を猛禽類Ａに捕獲させるステップと、（２）猛禽類Ａの帰巣行動により猛禽類Ａに囮動物１０を営巣地Ｂへ搬送させるステップと、を備える。
本発明の営巣地探査システム１は、生体たる囮動物１０に移動装置２０を保持させる点に特徴を有する。
【００２５】
＜２＞探査の準備（図３（ａ））。
囮動物１０のドバトの脚に脚環型の移動装置２０を固定する。移動装置２０は電撃装置の刺衝手段２４を備える。
移動装置２０には、係留手段３０として長さ３ｍ程度の係留ロープを接続し、係留ロープの他端に錘体を連結する。
作業員は刺衝手段２４のリモコンを所持し、双眼鏡等によって囮動物１０を視認可能な距離に待機する。
囮動物１０は、係留手段３０によって係留ロープの長さの範囲内では移動し、飛び上がることはできるが、大きく飛翔することはできない状態で係留される。
【００２６】
＜３＞陽動行動（図３（ｂ））。
猛禽類Ａの飛来を確認したら、作業員は猛禽類Ａに視認されやすいタイミングで刺衝手段２４のリモコンの電撃スイッチを押して囮動物１０に電気ショックを与える。
刺衝手段２４の電気ショックにより、囮動物１０は上空へ飛翔して陽動行動をとる。
ここで、囮動物１０は係留手段３０に繋がれているため、係留ロープの長さ以上高く飛び立つことができない。このため、囮動物１０は係留場所で何度も飛翔を繰り返して猛禽類Ａの注意を惹く。
【００２７】
＜４＞囮動物を捕獲させるステップ（図４（ａ））。
囮動物１０の陽動行動に気づいた猛禽類Ａが、囮動物１０を空中または地上で捕獲する。
猛禽類Ａが囮動物１０に気づかない場合、または気づいても捕獲しない／できない場合には、＜３＞陽動行動を繰り返す。
【００２８】
＜５＞囮動物を搬送させるステップ（図４（ｂ））。
猛禽類Ａが囮動物１０を確実に捕獲したことを確認した後、移動装置２０から係留手段３０を切り離す。
猛禽類Ａは、帰巣行動に基づいて、囮動物１０を移動装置２０ごと営巣地Ｂへ向けて搬送する。
【００２９】
＜６＞営巣地の特定。
猛禽類Ａが囮動物１０を摂食すると、巣内または営巣木ｂ直下に移動装置２０が残される。
移動装置２０が送信する移動装置２０の位置情報を探査装置４０で受信して、営巣地Ｂを特定する。
なお、猛禽類Ａは必ずしも囮動物１０を営巣木ｂまで持ち帰らず、営巣木ｂ周辺の複数の地点を移動しながら摂食することもある。その場合には、移動装置２０から送信される位置情報が集中する場所により営巣地Ｂを特定する。
【符号の説明】
【００３０】
１    営巣地探査システム
１０  囮動物
２０  移動装置
２１  位置情報取得手段
２２  情報処理手段
２３  位置情報発信手段
２４  刺衝手段
３０  係留手段
４０  探査装置
４１  位置情報受信手段
４２  表示手段
Ａ    猛禽類
Ｂ    営巣地
ｂ    営巣木
【図１】
2020078283.tif 000003
【図２】
2020078283.tif 000004
【図３】
2020078283.tif 000005
【図４】
2020078283.tif 000006